(57)【特許請求の範囲】
【請求項１】
前面に開閉自在な扉を有し、内部に複数の棚を有して被冷却物を収納可能にする庫内と、
この庫内の空気を吸い込み冷却器で冷却した後、前記庫内の上段の棚の上方側から前記庫内に吐出させる風路と、
この風路中に設けられ前記冷却された空気を強制的に前記庫内へ循環させる送風機とを備えるとともに、
前記風路中の前記冷却器の風上に設けられる平面状の紫外線放射ランプおよびこの紫外線放射ランプの照射範囲内にコルゲート型またはハニカム型の通風路が構成された光触媒フィルタを設けた冷蔵庫であって、
前記光触媒フィルタの表層に、少なくとも紫外線照射により励起されて前記通風路を通過する空気中の臭い分子を分解する機能を有する光触媒と前記風路中の雰囲気において前記通風路を通過する空気中の臭い分子を分解する機能を有する酸化触媒が吸着剤に担持された触媒組成物が具備されており、かつ前記平面状の紫外線放射ランプの冷蔵室側の面からは可視光が照射されるように構成されていることを特徴とする脱臭機能付冷蔵庫。
【請求項２】
前記吸着剤がＳｉ：Ａｌ比が５０以上の疎水性ゼオライトであることを特徴とする請求項１記載の冷蔵庫。
【請求項３】
前記酸化触媒が臭素、ヨウ素から選ばれる酸化触媒であることを特徴とする請求項１あるいは請求項２記載の冷蔵庫。
【請求項４】
前記平面状の紫外線放射ランプは冷蔵室の背面板にはめ込まれて設置され、冷蔵室側に可視光を照射するように構成されていることを特徴とする請求項１から請求項３のいずれかに記載の冷蔵庫。
【発明の詳細な説明】
【０００１】
【発明の属する技術分野】
本発明は脱臭機能付冷蔵庫に関するものであり、さらに詳しくは脱臭性や殺菌性に優れ、かつ消費電力を低減した冷蔵庫に関するものである。
【０００２】
【従来の技術】
紫外線ランプと光触媒を用いたフィルタを組み合わせてこのフィルタを通過する空気中の臭気成分を分解して脱臭することが知られている。
【０００３】
図５に光触媒を用いたコルゲート型の通風路が構成されたフィルタの１例を示す。このフィルタ１は水平部分と波型部分とが交互に重なり合った段ボール紙を積層したような構造を有する。このフィルタの表層には活性炭などの吸着剤に光触媒を担持させたものが塗布されたりまたは練り込んである。
【０００４】
図６に、紫外線ランプと前記フィルタを組み合わせて空気中の臭気成分を分解して脱臭する装置の例を示す。１、１は前記フィルタであり、通風路が空気の流れに対して斜めに構成した際の断面を示している。２は空気ダクトであり、フィルタ１、１が所定の間隔をもって配置されている。３は紫外線ランプであり、フィルタ１、１の間に配置されている。この紫外線ランプ３は例えば３６０ｎｍ近傍の紫外線を放射する。この紫外線ランプ３からの紫外線により、フィルタ１、１の光触媒が活性化され、フィルタ１、１の通風路を通る空気中の臭いの分子を分解して脱臭するようになっている。
【０００５】
【発明が解決しようとする課題】
しかし、このランプは直管型であるためフィルタの各部分までの距離に差が生じ、つまり紫外線の照射強度にムラが発生するので、光触媒の活性化が不十分な部分ができ脱臭効率が悪い部分ができるという問題があった。
また、紫外線ランプによる紫外線照射を連続して行うと紫外線ランプの寿命が低下したり、消費電力が大きくなる問題があり、この問題を考慮して紫外線の照射を停止したり照射したりと間欠的に行うと、紫外線照射停止中は光触媒が活性化されないため脱臭できないという問題があった。
【０００６】
本発明の目的は、従来のこれらの問題を解決し、紫外線の照射中は紫外線の照射強度ムラを抑えて光触媒の活性化を均一にかつ十分に行って効率よく脱臭、殺菌するとともに、紫外線の照射を間欠的に行って紫外線照射を行わない間も脱臭できるようにした冷蔵庫を提供することである。
【０００７】
【課題を解決するための手段】
本発明者等は、前記課題を解決するために鋭意研究を重ねた結果、平面状の形状を有する紫外線ランプと、光触媒および庫内の雰囲気において光触媒フィルタの通風路を通過する空気中の臭い分子を酸化分解する機能を有する酸化触媒を備えた光触媒フィルタとの組み合わせを用いることにより課題を解決できることを見いだし、本発明を完成するに至った。
【０００８】
前記課題を解決するための本発明の請求項１記載の脱臭機能付冷蔵庫は、前面に開閉自在な扉を有し、内部に複数の棚を有して被冷却物を収納可能にする庫内と、
この庫内の空気を吸い込み冷却器で冷却した後、前記庫内の上段の棚の上方側から前記庫内に吐出させる風路と、
この風路中に設けられ前記冷却された空気を強制的に前記庫内へ循環させる送風機とを備えるとともに、
前記風路中の前記冷却器の風上に設けられる平面状の紫外線放射ランプおよびこの紫外線放射ランプの照射範囲内にコルゲート型またはハニカム型の通風路が構成された光触媒フィルタを設けた冷蔵庫であって、
前記光触媒フィルタの表層に、少なくとも紫外線照射により励起されて前記通風路を通過する空気中の臭い分子を分解する機能を有する光触媒と前記風路中の雰囲気において前記通風路を通過する空気中の臭い分子を分解する機能を有する酸化触媒が吸着剤に担持された触媒組成物が具備されており、かつ前記平面状の紫外線放射ランプの冷蔵室側の面からは可視光が照射されるように構成されていることを特徴とする。
【０００９】
本発明の請求項２記載の脱臭機能付冷蔵庫は、請求項１記載の冷蔵庫において、前記吸着剤がＳｉ：Ａｌ比が５０以上の疎水性ゼオライトであることを特徴とする。
【００１０】
本発明の請求項３記載の脱臭機能付冷蔵庫は、請求項１あるいは請求項２記載の冷蔵庫において、前記酸化触媒が臭素、ヨウ素から選ばれる酸化触媒であることを特徴とする。
本発明の請求項４記載の脱臭機能付冷蔵庫は、請求項１から請求項３のいずれかに記載の冷蔵庫において、前記平面状の紫外線放射ランプは冷蔵室の背面板にはめ込まれて設置され、冷蔵室側に可視光を照射するように構成されていることを特徴とする。
【００１１】
本発明の脱臭機能付冷蔵庫は、従来の直管型紫外線ランプを用いる代わりに平面状の紫外線放射ランプを用いたので、フィルタの各部分まで距離がほぼ均等になり、光触媒に対する紫外線の照射強度がほぼ均一になるので光触媒の活性化のむらが抑制でき脱臭効率や殺菌効率を向上できるものです。
さらに、本発明の脱臭機能付冷蔵庫は、光触媒フィルタの表層に、少なくとも紫外線照射により励起されて前記通風路を通過する空気中の臭い分子を分解する機能を有する光触媒と前記風路中の雰囲気において前記通風路を通過する空気中の臭い分子を分解する機能を有する酸化触媒が吸着剤に担持された触媒組成物が具備されているので、紫外線の照射中は紫外線の照射強度ムラを抑えて光触媒の活性化を均一にかつ十分に行って効率よく脱臭、殺菌するとともに、紫外線の照射を間欠的に行って紫外線照射を行わない間も脱臭でき、紫外線ランプの長寿命化、消費電力の低減を図ることができる。
【００１２】
【発明の実施の形態】
本発明の実施の１形態を図１、２、３を参照しつつ詳細に説明する。
図１は、本発明の脱臭機能付冷蔵庫の冷蔵室部分の断面説明図である。図２は、図１に示した本発明の冷蔵庫の背面板の説明図であり、図３は、図２の一部拡大図である。
【００１３】
図において、１０は家庭用冷蔵庫である。この家庭用冷蔵庫１０は、上から冷蔵室Ｒ（冷蔵温度帯エリア）、野菜室冷蔵室Ｖ（冷蔵温度帯エリア）、冷凍室（図示せず）の順で配置されている。この冷蔵庫１０は、少なくとも圧縮器、凝縮器、蒸発器からなる冷凍サイクルを有するものであり、蒸発器（エバ）を蒸発温度を違えて２つ有し、２エバ・タイプと呼ばれるものである。冷蔵温度帯エリア冷却用の冷蔵用の蒸発器（以下、冷却器１７という）と、冷凍温度帯エリア冷却用の冷凍用の蒸発器（冷却器）（図示せず）とを備えている。
【００１４】
庫内には複数の棚１１を有して被冷却物を収納可能にしている。
１２は外箱、１３は内箱であり、１４はこの両者（１２、１３）間に発泡充填された断熱材である。
【００１５】
１５は家庭用冷蔵庫１０の前面に備えられた冷蔵室用の開閉自在な回転扉であり、片側に設けた回転軸を中心に開閉する。１６は冷蔵室の背面板である。この背面板１６は冷蔵庫１０の内箱１３との間に冷蔵庫内の空気を循環させる風路２０を形成している。この風路２０中に冷蔵室用の冷却器１７、冷蔵庫内の空気を循環させるファン１８、庫内灯１９が設置されており、風路２０を通って冷却器１７で冷却された冷気をファン１８を介して庫内の上段の棚１１の上方側から冷蔵室へ吐出させる。
【００１６】
２１は、断熱材であり、背面板１６の内箱１３側でファン１８、冷却器１７の低温の冷熱（冷気）が冷蔵室に伝わるのを抑制している。
【００１７】
２２は、除霜用のヒータであり、冷却器１７を下方から加熱して冷却器１７の除霜を行うものである。２３は、冷蔵室および野菜室を経た冷蔵室内の戻り空気を冷却器１７に循環するための風路２０の一部を構成する戻りダクトである。
【００１８】
２４は、波長３６０ｎｍの紫外線を照射する平面状の紫外線放射ランプであり、ここでは３０ｍｍ×１５０ｍｍの平面形状である。そして、平面状の紫外線放射ランプ２４はダクト２３内に紫外線を照射し、冷蔵室側には可視光を照射するように背面板１６にはめ込まれている。なお、ダクト２３内の紫外線照射範囲には、紫外線照射による内箱１３の樹脂の変形や劣化を防止するためのアルミなどの紫外線を反射できる反射材Ｄを貼付している（図３参照）。
【００１９】
なお本発明で光照射に用いる光源の光エネルギーは、光触媒を励起させて、主として臭気成分の有機物を分解する能力を持たせるものであり、すなわち光触媒を励起させるのに対応した波長を有する光エネルギーであって、可視波長ないし紫外波長を有する光を照射するのが望ましい。このような光源としては、水銀灯より発する光、ハロゲンランプ等のフィラメントランプより生ずる光、ショートアークキャノン光、半導体レーザー光線、紫外線ランプ、ブラックライト、蛍光燈（例えば、冷陰極蛍光ランプ）、青色ＬＥＤまたは紫外線ＬＥＤなどのＬＥＤ等の人工光源が挙げられる。これらは１つ以上組み合わせて使用してもよい。
【００２０】
図２に背面板１６と平面状の紫外線放射ランプ２４を示す。
このランプ２４は光の照射面を通常のガラス（ソーダガラス）で形成しているが、光触媒フィルタ２５に対向している側の紫外線照射面２４ｕｖのみ石英ガラスで形成している。したがって、その通過波長特性により冷蔵室側の面２４ｄからは通常の可視光線が照射され、有害な紫外線は照射されず（有害な３００ｎｍ以下の紫外線を遮断する）、紫外線照射面２４ｕｖからは紫外線が照射されるようになっている。
【００２１】
２５は、光触媒フィルタである。この光触媒フィルタの表層には、後で述べる疎水性ゼオライト（結晶性アルミノケイ酸塩）などの吸着剤に少なくとも光触媒（後で述べる酸化チタンなど）と、紫外線照射を行わなくても前記風路中の雰囲気において光触媒フィルタ２５の通風路を通過する空気中の臭い分子を分解する機能を有する後で述べる酸化触媒が担持された触媒組成物が塗布されたり、練り込まれたりなどして具備されている。
【００２２】
本発明で用いる吸着剤は、細菌、臭い分子、有害物質などを吸着するものであり、例えば活性炭、アパタイト、セピオライト、ゼオライトなどの無機物あるいは絹繊維などの有機物などである。これらの中でも疎水性ゼオライトなどの吸水率が小さく、疎水性の高いものが好ましく使用できる。例えば湿度１００％雰囲気中で質量増加率が５％以下ものものが好ましく使用できる。吸水率が高いと水を吸って臭い分子などの吸着性が低下、劣化するためである。
【００２３】
また、Ｓｉ：Ａｌ比（ケイバン比）５０以上、好ましくは、６０〜７０程度あるいはそれ以上で疎水性の高いゼオライトは、雰囲気中に水分が存在してもしなくても臭い分子などをよりよく吸着できるので、本発明において好ましく使用できる吸着剤である。
【００２４】
本発明で用いる光触媒は、光の照射によって、その触媒反応を促進させるものであり、その種類は限定されることはないが、例えば酸化チタン（ＴｉＯ2 ）、酸化鉄（Ｆｅ2 Ｏ3 ）、酸化タングステン（ＷＯ3 ）、酸化スズ（ＳｎＯ2 ）、酸化ビスマス（Ｂｉ2 Ｏ3 ）、酸化ニッケル（ＮｉＯ）、チタン酸ストロンチウム（ＳｒＴｉＯ3 ）、酸化ケイ素（ＳｉＯ2 ）、硫化モリブデン（ＭｏＳ2 ）、リン化インジウム（ＩｎＰ）、リン化ガリウム（ＧａＰ）、インジウム鉛（ＩｎＰｂ）等のｎ型及びＰ型半導体、あるいはさらに高活性にするため該半導体に白金（Ｐｔ）、ロジウム（Ｒｕ）、ニオブ（Ｎｂ）、銅（Ｃｕ）、スズ（Ｓｎ）、酸化ルテニウム（ＲｕＯ2 ）、酸化ニッケル（ＮｉＯ）等の金属または金属酸化物を担持した半導体の固体光触媒及びルテニウムビピリジル錯体等のルテニウム（Ｒｕ）錯体、ポルフイリン類、クロロフイル等の分子光触媒が挙げられる。本発明においては、これら光触媒のうち１種または２種以上を使用することができる。
【００２５】
これらの中でもアナターゼ型酸化チタンは好ましく使用できる。
上記光触媒の調製法としては、固体光触媒の場合、市販品の他、金属の高温焼成、電解酸化、化学的蒸着法、真空蒸着法、塗布法、共沈法、金属ハロゲン化物等の蒸発酸化法等により調製する例を挙げることができる。
【００２６】
本発明で用いる酸化触媒は、紫外線照射を行わなくても前記風路中の雰囲気において光触媒フィルタの通風路を通過する空気中の臭い分子を分解する機能を有するものであり、光触媒のように臭い分子を完全に分解して水と炭酸ガスまで分解できるものであっても、あるいは臭い分子を分解して臭いの少ないあるいは臭いのない分子まで分解できるものであってもよく、その種類は特に限定されるものではない、具体的には、例えば、酸化銅、酸化亜鉛、酸化マンガン、酸化カルシウム、臭素やヨウ素などのハロゲン類、あるいはこれらの２種以上の組み合わせを挙げることができる。
【００２７】
これらの中でも、臭素やヨウ素などのハロゲン類は、前記風路中の雰囲気において光触媒フィルタの通風路を通過する空気中の臭い分子を分解する機能を有する上、エチレンなどの植物ホルモンも分解できるので本発明において好ましく使用できる。
【００２８】
例えば、本発明で用いる酸化触媒の一例である酸化マンガンは、紫外線照射を行わなくても、前記庫内の雰囲気において循環する空気中のメチルメルカプタンを、２硫化メチルに分解できる。メチルメルカプタンは嗅覚閾値が０．００００７０の臭いの非常に強い臭い分子であるが、２硫化メチルは嗅覚閾値が０．００２２で臭いの弱い分子である。メチルメルカプタンを２硫化メチルに分解すればそれだけで臭いを相当低減する効果があるが、紫外線照射を行って光触媒を活性化して脱臭する際には、メチルメルカプタンを完全分解するのに較べて、この２硫化メチルは容易に完全分解され、無臭化される。
【００２９】
本発明で用いる光触媒、酸化触媒、吸着剤の種類、粒径、それぞれの配合割合などは臭い分子の種類や量、細菌の種類や量などによって異なるので、それぞれの成分に対する要求程度や要求性能によって適宜制御したり、選定などして決められることが好ましく、特に限定されるものではない。
【００３０】
光触媒と酸化触媒とを吸着剤に担持する方法も公知の方法でよく特に限定されるものではない。
【００３１】
本発明においては、少なくとも光触媒と酸化触媒とを疎水性ゼオライトなどの吸着剤に担持させ、この触媒組成物をバインダーを用いて光触媒フィルタの表層に固着して具備させることが好ましい。バインダーとしては紫外線を透過する透明性を有し、紫外線による劣化が少なく安定して使用できるようなものであれば有機物でも、無機物でも、あるいはこれらの組み合わせであってもよく、特に限定されるものではない。無機物は紫外線による劣化が少ないので好ましく使用できる。本発明で好ましく用いるバインダーの例としてガラス、水ガラスなどを挙げることができる。
【００３２】
この光触媒フィルタ２５はコルゲート型の通風路が構成された段ボール紙を積層したような構造を有し、このフィルタの表層には前記ゼオライト吸着剤に前記光触媒および前記酸化触媒を担持させたものがバインダーを使用するかあるいは使用せずに塗布されたりまたは練り込んである。なおこの光触媒フィルタ２５はハニカム型の通風路が構成されたものでもよい。
【００３３】
この光触媒フィルタ２５は、除霜ヒータ２２の下方でダクト２３が曲折する曲折部Ｃに配置され、その通風路は冷気の通過方向に合うように傾斜している。このため、光触媒フィルタ２５の通風路の傾きは曲折部Ｃにおけるダクト２３の傾きに合っている（または、光触媒フィルタ２５の通風路の傾きは、この光触媒フィルタ２５を収納した通気ダクト２３内の冷気（空気）の流れる向きに合っている）。このため、光触媒フィルタ２５の冷気に対する通風抵抗を抑制でき、冷気の流れを悪くすることも少ない。また、ダクト内に貼付されたアルミ等の反射材Ｄは、紫外線を反射して、フィルタ２５の反対側にも回り込んで紫外線を照射するので光触媒の活性化が図れ、脱臭効果や殺菌効果を上げることができる。
【００３４】
次に脱臭作用を説明する。
冷蔵庫１０のファン１８が作動し、庫内冷気が風路２０に循環すると、冷気中の臭い分子（例えば、アンモニア、アセトアルデヒド、メチルメルカプタン、硫化水素、ホルムアルデヒドなどやエチレンなどの有機化合物分子）も同時に循環して流れる。この臭い分子は、光触媒フィルタ２５を通過する際に吸着剤に吸着して集められる。そして紫外線放射ランプ２４からの紫外線により励起された光触媒により分解される。
なおここでは、紫外線の波長を３６０ｎｍとしたが、この波長を短波長に変えて殺菌作用も持たせるようにしてもよい。例えば、紫外線波長が２５４ｎｍのランプ２４を選択した場合、光触媒フィルタ２５の吸着剤により集められた臭い分子は３６０ｎｍの場合と同様に光触媒により分解される。また２５４ｎｍになれば、殺菌作用があり、紫外線により殺菌することが可能となる。そして光触媒フィルタ２５の吸着剤により集められ、紫外線により死滅した細菌の残骸は光触媒により分解される。また、紫外線の波長を１８５ｎｍとすれば紫外線だけでなく、オゾンを発生させることが可能となる。
しかしオゾンは毒性があるので吸着除去するなどにより循環する冷気中の濃度が０．１ｐｐｍ程度以下にするように制御することが好ましい。
【００３５】
本発明の冷蔵庫１０においては、紫外線放射ランプ２４からの紫外線照射を停止しても冷気中の臭い分子は光触媒フィルタ２５の前記酸化触媒により分解される。したがって、本発明の冷蔵庫１０は、例えば臭いの強い被冷却物を収納した際などにはそれをセンサで検知して、紫外線放射ランプ２４を作動して紫外線を照射したり、庫内の臭いが少なく光触媒による強い脱臭の必要があまりないなどの場合はそれをセンサで検知して紫外線放射ランプ２４による紫外線照射を停止するなど、必要に応じて紫外線の照射を停止する間欠照射を行うことができる。本発明の冷蔵庫１０は、紫外線の照射を停止したり間欠的に行って紫外線照射を行わない間も脱臭できるので脱臭効率が向上する上、紫外線放射ランプ２４の長寿命化や消費電力の低減を図ることができる。
【００３６】
図４を参照しつつ、本発明の他の実施の形態を説明する。
図４に示した本発明の冷蔵庫１０Ａは、光触媒フィルタ２５の風上に紫外線放射ランプ２４が配置されている以外は図１に示した本発明の冷蔵庫１０と同様になっている。
【００３７】
次に脱臭作用を説明する。
冷蔵庫１０Ａのファンが作動し、庫内冷気がダクト２３を含む風路に循環すると、冷気中の臭い分子は、光触媒フィルタ２５を通過する際に吸着剤に吸着して集められ、そして紫外線放射ランプ２４からの紫外線により励起された光触媒により分解され、冷気中に浮遊する細菌は紫外線照射されて殺菌される。
本発明の冷蔵庫１０Ａは、紫外線放射ランプ２４からの紫外線照射を停止しても冷気中の臭い分子は光触媒フィルタ２５の前記酸化触媒により分解される。紫外線の照射を停止したり間欠的に行って紫外線照射を行わない間も脱臭できるので脱臭効率が向上する上、紫外線放射ランプ２４の長寿命化や消費電力の低減を図ることができる。
【００３８】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【００３９】
【発明の効果】
本発明の請求項１記載の脱臭機能付冷蔵庫は、前面に開閉自在な扉を有し、内部に複数の棚を有して被冷却物を収納可能にする庫内と、
この庫内の空気を吸い込み冷却器で冷却した後、前記庫内の上段の棚の上方側から前記庫内に吐出させる風路と、
この風路中に設けられ前記冷却された空気を強制的に前記庫内へ循環させる送風機とを備えるとともに、
前記風路中の前記冷却器の風上に設けられる平面状の紫外線放射ランプおよびこの紫外線放射ランプの照射範囲内にコルゲート型またはハニカム型の通風路が構成された光触媒フィルタを設けた冷蔵庫であって、
前記光触媒フィルタの表層に、少なくとも紫外線照射により励起されて前記通風路を通過する空気中の臭い分子を分解する機能を有する光触媒と前記風路中の雰囲気において前記通風路を通過する空気中の臭い分子を分解する機能を有する酸化触媒が吸着剤に担持された触媒組成物が具備されており、かつ前記平面状の紫外線放射ランプの冷蔵室側の面からは可視光が照射されるように構成されているので、
フィルタの各部分まで距離がほぼ均等になり、光触媒に対する紫外線の照射強度がほぼ均一になるので光触媒の活性化のむらが抑制でき脱臭効率や殺菌効率が向上するとともに、紫外線の照射を間欠的に行って紫外線照射を行わない間も脱臭でき、紫外線ランプの長寿命化、消費電力の低減を図ることができるという顕著な効果を奏する。
また前記平面状の紫外線放射ランプの冷蔵室側の面からは可視光が照射されるように構成されているので、紫外線照射による樹脂の変形や劣化を防止できるという顕著な効果を奏する。
【００４０】
本発明の請求項２記載の脱臭機能付冷蔵庫は、請求項１記載の冷蔵庫において、前記吸着剤がＳｉ：Ａｌ比が５０以上の疎水性ゼオライトであるので、請求項１記載の冷蔵庫と同じ効果を奏するとともに、庫内を循環する空気中に水分が存在しても、臭い分子をよく吸着でき、吸着した臭い分子を光触媒や酸化触媒によりよく分解でき、脱臭効率を向上できるというさらなる顕著な効果を奏する。
【００４１】
本発明の請求項３記載の脱臭機能付冷蔵庫は、請求項１あるいは請求項２記載の冷蔵庫において、前記酸化触媒が臭素、ヨウ素から選ばれる酸化触媒であるので、請求項１記載の冷蔵庫と同じ効果を奏するとともに、エチレンなどの植物ホルモンもよく分解できるというさらなる顕著な効果を奏する。
本発明の請求項４記載の脱臭機能付冷蔵庫は、請求項１から請求項３のいずれかに記載の冷蔵庫において、前記平面状の紫外線放射ランプは冷蔵室の背面板にはめ込まれて設置され、冷蔵室側に可視光を照射するように構成されているので冷蔵庫内の照明ができ、有害な紫外線が冷蔵室側に照射されないというさらなる顕著な効果を奏する。
【図面の簡単な説明】
【図１】本発明の冷蔵庫の例を説明する説明図である。
【図２】図１に示した本発明の冷蔵庫の背面板を説明する説明図である。
【図３】図１に示した本発明の冷蔵庫の一部拡大図である。
【図４】本発明の冷蔵庫の他の例を説明する説明図である。
【図５】コルゲート型光触媒フィルタの外観を説明する説明図である。
【図６】従来の脱臭法を説明する説明図である。
【符号の説明】
１０、１０Ａ  本発明の家庭用冷蔵庫
１１  棚
１５  回転扉
１７  冷却器
１８  ファン（送風機）
２０  風路
２４  平面状の紫外線放射ランプ
２５  光触媒フィルタ
【図１】
0003863797.tif 000002
【図２】
0003863797.tif 000003
【図３】
0003863797.tif 000004
【図４】
0003863797.tif 000005
【図５】
0003863797.tif 000006
【図６】
0003863797.tif 000007